(57)【要約】【課題】ネットワーク全体を一元的に監視・制御し、故障情報などを高速に検索できる、ネットワーク管理システムを提供する。【解決手段】設備種別毎に構築された構成情報管理システムから受信した、設備種別毎の構成情報を保持する構成情報保持部２５と、設備種別に対する構成情報と当該設備の接続先の構成情報との関係を示すリンケージ情報を保持するリンケージ情報保持部３０と、リンケージ情報保持部と構成情報保持部とを検索し、複数の設備種別に対する構成情報及び当該設備の接続先の構成情報を含むネットワーク構成情報を作成あるいは更新するネットワーク構成情報管理部２６とを備える。【選択図】図１
2005341159.tif 000002
【特許請求の範囲】
【請求項１】
設備種別毎に構築された構成情報管理システムから受信した、前記設備種別毎の構成情報を保持する構成情報保持部と、
設備種別に対する構成情報と当該設備の接続先の構成情報との関係を示すリンケージ情報を保持するリンケージ情報保持部と、
前記リンケージ情報保持部と前記構成情報保持部とを検索し、複数の前記設備種別に対する構成情報及び当該設備の接続先の構成情報を含むネットワーク構成情報を作成あるいは更新するネットワーク構成情報管理部と
を備えることを特徴とするネットワーク管理システム。
【請求項２】
前記構成管理システムから前記構成情報の全情報を受信した場合、
前記ネットワーク構成情報管理部は、前記全情報と前記リンケージ情報とに基づき、前記ネットワーク構成情報の変更が有る場合、前記ネットワーク構成情報を作成することを特徴とする請求項１に記載のネットワーク管理システム。
【請求項３】
前記構成管理システムから前記構成情報の変更差分情報を受信した場合、
前記ネットワーク構成情報管理部は、前記変更差分情報と前記リンケージ情報とに基づき、前記ネットワーク構成情報の変更が有る場合、前記ネットワーク構成情報を更新することを特徴とする請求項１に記載のネットワーク管理システム。
【請求項４】
設備種別毎に構築された構成情報管理システムから前記設備種別毎の構成情報を受信するステップと、
設備種別に対する構成情報と当該設備の接続先の構成情報との関係を示すリンケージ情報と前記構成情報とを検索し、複数の前記設備種別に対する構成情報及び当該設備の接続先の構成情報を含むネットワーク構成情報を作成あるいは更新するステップと
を含むことを特徴とするネットワーク管理方法。
【発明の詳細な説明】
【技術分野】
【０００１】
本発明は、ネットワーク管理システム及びネットワーク管理方法に関する。
【背景技術】
【０００２】
移動通信網を監視・制御するオペレーションシステムは、例えば、無線基地局設備、交換機設備、エントランス設備、リンク設備といった設備種別毎に構築されており、各オペレーションシステムでは、必要な構成情報、例えば、各設備の名称、設置場所、接続している接続先設備名称、接続部位情報等を保持している。
【０００３】
このように構築されたオペレーションシステムを用いて、移動通信網を監視・制御する場合、無線基地局設備と交換機設備とを接続するエントランス設備で故障が発生した際、無線基地局設備、交換機設備、エントランス設備それぞれで故障（異常）を検出し、各オペレーション設備に故障の発生を通知することとなる。各オペレーションシステムでは、故障を保守者に分かり易くするため、各オペレーションシステムで保持ししている構成情報を参照し、故障を検出した設備の名称、場所、接続先設備名称などを付与して、故障情報を保守運用者に通知する。保守運用者は故障の通知情報から、関連する設備を監視するオペレーションシステムにおける故障情報の有無の確認、分析を行い、複数の設備に関連した故障であれば、故障通知されている箇所の中で、どこが真の故障箇所であり、どこが真の故障に影響され発生した故障箇所であるかを特定する。そして、真の故障箇所に対応する措置を実施することとなる（例えば、特許文献１参照。）。
【特許文献１】特開２００３−２５６６４９号公報
【発明の開示】
【発明が解決しようとする課題】
【０００４】
上述したように、従来のオペレーションシステムを用いた保守・運用では、設備種別毎のオペレーションシステムに通知された故障情報を基に、保守運用者が故障の分析を行う必要があり、この業務を効率的に実現するため、ネットワーク全体を一元的に監視・制御できるオペレーションシステムが必要である。このオペレーションシステムを構築するためには、ネットワーク全体の構成情報を新たに構築するか、既に構築されている設備種別毎の構成情報を検索することが必要となる。
【０００５】
しかし、ネットワーク全体の構成情報を新たに構築する場合、初期構築時に膨大な開発コストがかかり、又、ネットワークでは日々工事が行われているため、構成情報を常に最新の状態に維持するために新たな稼働とコストがかかるといった問題がある。一方、既に構築されている設備種別毎の構成情報を検索する場合、設備種別毎の構成情報は、最新であるが、設備種別を跨ったネットワークワイドな情報を検索するためには、複数のデータベースを順次検索する必要があり、時間がかかるといった問題がある。
【０００６】
そこで、上記の課題に鑑み、ネットワーク全体を一元的に監視・制御し、故障情報などを高速に検索できる、ネットワーク管理システム及びネットワーク管理方法を提供することを目的とする。
【課題を解決するための手段】
【０００７】
上記目的を達成するため、本発明の第１の特徴は、（イ）設備種別毎に構築された構成情報管理システムから受信した、設備種別毎の構成情報を保持する構成情報保持部と、（ロ）設備種別に対する構成情報と当該設備の接続先の構成情報との関係を示すリンケージ情報を保持するリンケージ情報保持部と、（ハ）リンケージ情報保持部と構成情報保持部とを検索し、複数の設備種別に対する構成情報及び当該設備の接続先の構成情報を含むネットワーク構成情報を作成あるいは更新するネットワーク構成情報管理部とを備えるネットワーク管理システムであることを要旨とする。ここで、「設備種別」とは、例えば、無線基地局設備、交換機設備、エントランス設備、リンク設備等を指し、「構成情報」とは、例えば、各設備の名称、設置場所、接続している接続先設備名称、接続部位情報等を指す。
【０００８】
第１の特徴に係るネットワーク管理システムによると、ネットワーク全体を一元的に監視・制御し、故障情報などを高速に検索することができる。
【０００９】
又、第１の特徴に係るネットワーク管理システムは、構成管理システムから構成情報の全情報を受信した場合、ネットワーク構成情報管理部は、全情報とリンケージ情報とに基づき、ネットワーク構成情報の変更が有る場合、ネットワーク構成情報を作成してもよい。このネットワーク管理システムによると、既に構築されている設備種別毎の構成情報をコピーし、その構成情報とリンケージ情報を基にネットワーク構成情報を作成し、最新のネットワーク構成情報を保持することができる。
【００１０】
又、第１の特徴に係るネットワーク管理システムは、構成管理システムから構成情報の変更差分情報を受信した場合、ネットワーク構成情報管理部は、変更差分情報とリンケージ情報とに基づき、ネットワーク構成情報の変更が有る場合、ネットワーク構成情報を更新してもよい。このネットワーク管理システムによると、既に構築されている設備種別毎の構成情報に変更が発生した場合に、その変更情報とリンケージ情報を基にネットワーク構成情報を更新し、最新のネットワーク構成情報を保持することができる。
【００１１】
本発明の第２の特徴は、（イ）設備種別毎に構築された構成情報管理システムから設備種別毎の構成情報を受信するステップと、（ロ）設備種別に対する構成情報と当該設備の接続先の構成情報との関係を示すリンケージ情報と構成情報とを検索し、複数の設備種別に対する構成情報及び当該設備の接続先の構成情報を含むネットワーク構成情報を作成あるいは更新するステップとを含むネットワーク管理方法であることを要旨とする。
【００１２】
第２の特徴に係るネットワーク管理方法によると、ネットワーク全体を一元的に監視・制御し、故障情報などを高速に検索することができる。
【発明の効果】
【００１３】
本発明によると、ネットワーク全体を一元的に監視・制御し、故障情報などを高速に検索できる、ネットワーク管理システム及びネットワーク管理方法を提供することができる。
【発明を実施するための最良の形態】
【００１４】
次に、図面を参照して、本発明の実施の形態を説明する。以下の図面の記載において、同一または類似の部分には、同一または類似の符号を付している。ただし、図面は模式的なものであることに留意すべきである。
【００１５】
（ネットワーク管理システム）
本実施の形態に係るネットワーク管理システム２は、図１に示すように、通信ネットワークを介して構成情報管理システム１と接続される。ここで、構成情報管理システム１及びネットワーク管理システム２は、移動通信網を監視・制御するシステムとして説明する。又、図１では、１の構成情報管理システム１が示されているが、１のネットワーク管理システム２に複数の構成情報管理システム１が接続される。
【００１６】
構成情報管理システム１は、設備種別（例えば、無線基地局設備、交換機設備、エントランス設備、リンク設備等）毎に構築されており、必要な構成情報（例えば、各設備の名称、設置場所、接続している接続先設備名称、接続部位情報等）を保持している。
【００１７】
構成情報管理システム１は、構成情報管理部１０と構成情報保持部１５とを備える。構成情報管理部１０は、全情報送受信部１１と、インタフェース部１２と、差分情報送受信部１３と、情報作成変更部１４とを備える。
【００１８】
全情報送受信部１１は、ネットワーク管理システム２から受信した構成情報の全情報要求を受信し、情報作成変更部１４へ通知する。又、全情報送受信部１１は、全情報要求の応答として構成情報保持部１５に保持された全情報を、インタフェース部１２を介してネットワーク管理システム２へ送信する。
【００１９】
インタフェース部１２は、構成情報管理システム１とネットワーク構成情報管理システム２との間の通信インタフェースである。
【００２０】
差分情報送受信部１３は、構成情報保持部１５に保持された構成情報に変更が発生した際に、その変更差分情報を作成する。そして、変更差分情報を、インタフェース部１２を介してネットワーク管理システム２へ送信する。
【００２１】
情報作成変更部１４は、全情報送受信部１１からの要求に基づき、構成情報保持部１５を検索し、全情報を全情報送受信部１１へ送信する。又、構成情報保持部１５に保持された構成情報に変更が発生した際に、その変更を差分情報送受信部１３へ通知する。
【００２２】
構成情報保持部１５は、設備種別毎の構成情報（例えば、各設備の名称、設置場所、接続している接続先設備名称、接続部位情報等）を保持する。又、構成情報保持部１５は、図１に示すように、設備種別毎（カテゴリ毎）に分けて備える構成にしてもよい。図１のカテゴリＡ、Ｂ、Ｃは、それぞれ異なる設備種別の構成情報を表す。
【００２３】
ネットワーク管理システム２は、構成情報管理部２０と構成情報保持部２５と、ネットワーク構成情報管理部２６と、リンケージ情報保持部３０と、ネットワーク構成情報保持部２９とを備える。構成情報管理部２０は、全情報送受信部２１と、インタフェース部２２と、差分情報送受信部２３と、情報作成変更部２４とを備える。
【００２４】
全情報送受信部２１は、構成情報管理システム１へ構成情報の全情報要求を送信し、その応答として全情報を受信する。又、全情報送受信部２１は、全情報を情報作成変更部２４へ送信する。
【００２５】
インタフェース部２２は、構成情報管理システム１とネットワーク構成情報管理システム２との間の通信インタフェースである。
【００２６】
差分情報送受信部２３は、構成情報管理システム１（構成情報保持部１５）の保持する構成情報に変更が発生した際に、その変更差分情報を差分情報送受信部１３より受信し、情報作成変更部２４に通知する。
【００２７】
情報作成変更部２４は、全情報送受信部２１からの要求に基づき、構成情報保持部２５に全情報を書き込む。又、差分情報送受信部２３からの要求に基づき、構成情報保持部２５の構成情報を変更する。更に、情報作成変更部２４は、構成情報の変更をネットワーク構成情報管理部２６の情報リンケージ部２８へ通知する。
【００２８】
構成情報保持部２５は、図２に示すように、設備種別毎に構築された構成情報管理システム１から受信した、設備種別毎の構成情報（例えば、各設備の名称、設置場所、接続している接続先設備名称、接続部位情報等）を保持する。全情報や変更差分情報を受信することにより、構成情報保持部２５は、複数の構成情報管理システム１の構成情報保持部１５と同じ情報を保持する。図２では、交換機情報テーブル（構成情報として、交換機名称、交換機接続位置、接続先設備名称）及び無線設備情報テーブル（構成情報として、無線設備名称、無線設備接続位置、接続先設備名称）が示されている。
【００２９】
ネットワーク構成情報管理部２６は、ネットワーク情報作成変更部２７と、情報リンケージ部２８とを備える。又、ネットワーク構成情報管理部２６は、リンケージ情報保持部３０と構成情報保持部２５とを検索し、複数の設備種別に対する構成情報及び当該設備の接続先の構成情報を含むネットワーク構成情報を作成あるいは更新する。
【００３０】
情報リンケージ部２８は、情報作成変更部２４からの通知に基づき、リンケージ情報保持部３０に保持されたリンケージ情報を読み出す。そして、情報リンケージ部２８は、リンケージ情報と通知された情報とを比較し、ネットワーク構成情報の更新の有無を判断する。更新が必要な場合は、更新が必要な情報をネットワーク情報作成変更部２７へ通知する。
【００３１】
ネットワーク情報作成変更部２７は、情報リンケージ情報２８からの通知に基づき、構成情報保持部２５を検索し、ネットワーク構成情報を生成し、ネットワーク構成情報保持部２９に保存する。又、ネットワーク情報作成変更部２７は、情報リンケージ情報２８からの通知に基づき、構成情報保持部２５及びネットワーク構成情報保持部２９を検索し、更新後のネットワーク構成情報をネットワーク構成情報保持部２９に保存する。
【００３２】
リンケージ情報保持部３０は、図３に示すように、設備種別に対する構成情報と当該設備の接続先の構成情報との関係を示すリンケージ情報を保持する。図３では、交換機と無線設備との接続関係を示す交換無線接続情報テーブルが示されている。図中の＜生成・更新方法＞等については後に詳述する。
【００３３】
ネットワーク構成情報保持部２９は、図４に示すように、複数の設備種別に対する構成情報及び当該設備の接続先の構成情報を含むネットワーク構成情報を保持する。図４では、交換機と無線設備との接続関係を示す交換無線接続情報テーブル（構成情報として、交換機名称、交換機接続位置、無線装置接続位置、無線装置名称）が示されている。ネットワーク構成情報テーブルの作成・更新方法については後に詳述する。
【００３４】
又、本実施の形態に係るネットワーク管理システム２は、処理制御装置（ＣＰＵ）を有し、構成情報管理部２０、ネットワーク構成情報管理部２６などをモジュールとしてＣＰＵに内蔵する構成とすることができる。これらのモジュールは、パーソナルコンピュータ等の汎用コンピュータにおいて、所定のプログラム言語を利用するための専用プログラムを実行することにより実現することができる。
【００３５】
又、構成情報保持部２５、ネットワーク構成情報保持部２９、リンケージ情報保持部３０は、構成情報、ネットワーク構成情報、リンケージ情報などを保存する記録媒体である。記録媒体は、例えば、ＲＡＭ、ＲＯＭ、ハードディスク、フレキシブルディスク、コンパクトディスク、ＩＣチップ、カセットテープなどが挙げられる。このような記録媒体によれば、データの保存、運搬、販売などを容易に行うことができる。
【００３６】
又、図示していないが、ネットワーク管理システム２は、構成情報管理部処理、ネットワーク構成情報管理処理などを処理制御装置（ＣＰＵ）に実行させるためのプログラムを保存するプログラム保持部を備えてもよい。プログラム保持部は、例えば、ＲＡＭ、ＲＯＭ、ハードディスク、フレキシブルディスク、コンパクトディスク、ＩＣチップ、カセットテープなどの記録媒体である。このような記録媒体によれば、ネットワーク管理プログラムの保存、運搬、販売などを容易に行うことができる。
【００３７】
（ネットワーク管理方法）
次に、本実施の形態に係るネットワーク管理方法について、図５及び図６を用いて説明する。図５では、ネットワーク構成情報を作成する処理について説明する。
【００３８】
（イ）まず、ステップＳ１０１において、全情報送受信部２１は、全情報要求の電文を作成し、インタフェース部１１、２１を介して、構成情報管理システム１の全情報送受信部１１へ送信する。全情報送受信部１１では、情報作成変更部１４によって構成情報保持部１５の全情報を検索し、インタフェース部１１、２１を介して全情報を全情報送受信部２１へ送信する。
【００３９】
（ロ）次に、全情報送受信部２１では、受信した全情報を情報作成変更部２４へ送信し、ステップＳ１０２において、情報作成変更部２４は、構成情報を作成し、構成情報保持部２５へ保存する。又、情報作成情報部２４は、受信した情報を基に変更の発生したテーブル情報を情報リンケージ部２８へ通知する。通知を受けた情報リンケージ部２８では、ステップＳ１０３において、リンケージ情報保持部３０からリンケージ情報を読み出す。そして、ステップＳ１０４において、情報リンケージ部２８は、通知されたテーブルの情報からネットワーク構成情報の更新の有無を判断する。
【００４０】
（ハ）更新が必要な場合は、更新が必要なテーブルと、テーブルの作成情報をネットワーク情報作成変更部２７へ通知する。そして、ステップＳ１０５において、ネットワーク情報作成変更部２７は、受信情報に従って構成情報保持部２５を検索し、ネットワーク構成情報を作成し、ネットワーク構成情報保持部２９に保存する。
【００４１】
図６では、構成情報、ネットワーク構成情報を更新する処理について説明する。
【００４２】
（イ）まず、構成情報管理システム１の構成情報保持部１５が保持する構成情報が変更されると、情報作成変更部１４は変更の情報を差分情報送受信部１３へ送信する。差分情報送受信部１３は、変更差分情報の電文を作成し、インタフェース部１１、２１を介して、ネットワーク管理システム２の差分情報送受信部２３へ送信する。
【００４３】
（ロ）次に、ステップＳ２０１において、差分情報送受信部２３では、受信した変更差分情報を情報作成変更部２４へ送信する。そして、ステップＳ２０２において、情報作成変更部２４は、構成情報を更新し、構成情報保持部２５へ保存する。又、情報作成情報部２４は、受信した情報を基に変更の発生したテーブル情報を情報リンケージ部２８へ通知する。通知を受けた情報リンケージ部２８では、ステップＳ２０３において、リンケージ情報保持部３０からリンケージ情報を読み出す。そして、ステップＳ２０４において、情報リンケージ部２８は、通知されたテーブルの情報からネットワーク構成情報の更新の有無を判断する。
【００４４】
（ハ）更新が必要な場合は、更新が必要なテーブルと、テーブルの作成情報をネットワーク情報作成変更部２７へ通知する。そして、ステップＳ２０５において、ネットワーク情報作成変更部２７は、受信情報に従って構成情報保持部２５及びネットワーク構成情報保持部２９を検索し、ネットワーク構成情報を更新する。更新後のネットワーク構成情報は、ネットワーク構成情報保持部２９に保存される。
【００４５】
次に、図７を用いて、リンケージ情報によってネットワーク構成情報である交換無線機接続情報テーブルを作成する流れを説明する。図７に示す交換機情報テーブル及び無線設備情報テーブルは、図２に示すものと同様であり、図７に示す交換無線接続情報テーブルは、図４に示すものと同様である。
【００４６】
まず、設備種別毎の構成情報として、図２に示すように、交換機情報、無線設備情報を想定する。交換機情報テーブルは、交換機名称、交換機接続位置、接続先名称を含む。無線設備情報テーブルは、無線設備名称、無線設備接続位置、接続先名称を含む。交換機情報テーブルの接続先名称は、接続先が無線設備の場合、無線設備情報テーブルの無線設備名称と合致するものとする。この２つの構成情報より、ネットワーク構成情報として、交換機から接続される無線設備の情報を管理する交換無線接続情報テーブルを作成するものとする。
【００４７】
交換無線接続情報テーブルを作成する際のデータの流れは、矢印に示すとおりであり、この流れを記した情報が、図３に示すリンケージ情報となる。即ち、ネットワーク情報作成変更部２７は、交換機無線接続情報テーブルの交換機名称情報を、図３の列１を参照し、交換機情報テーブルの交換機名称情報より取得する。又、交換機無線接続情報テーブルの交換機接続位置情報を、図３の列２を参照し、交換機情報テーブルの交換機接続位置情報より取得する。又、交換機無線接続情報テーブルの無線装置接続位置情報を、図３の列３を参照し、交換機情報テーブルの接続先名称情報を検索キーとして無線設備情報テーブルの無線設備名称情報を検索し、合致した行の無線装置接続位置情報より取得する。又、交換機無線接続情報テーブルの無線装置名称情報を、図３の列４を参照し、交換機情報テーブルの接続先名称情報より取得する。
【００４８】
このように、構成情報とリンケージ情報を用いることにより、ネットワーク構成情報を作成あるいは更新することができる。
【００４９】
（作用及び効果）
本実施形態に係るネットワーク管理システム及びネットワーク管理方法によると、既に構築されている設備種別毎の構成情報をコピーし、その構成情報とリンケージ情報を基にネットワーク構成情報を作成し、最新のネットワーク構成情報を保持することができる。
【００５０】
又、本実施形態に係るネットワーク管理システム及びネットワーク管理方法によると、既に構築されている設備種別毎の構成情報に変更が発生した場合に、その変更情報とリンケージ情報を基にネットワーク構成情報を更新し、最新のネットワーク構成情報を保持することができる。更に、リンケージ情報を保持しているので、ネットワーク構成情報の更新を行う際、更新する必要があるか否かを判断をすることができる。
【００５１】
従って、既に構築した設備種別毎のオペレーションシステムの構成情報を利用して高速に検索可能なネットワークワイドな構成情報を構築でき、ネットワーク全体を一元的に監視・制御することができる。又、既に構築されているカテゴリ毎の構成情報を最新化するための作業を行うだけで、ネットワーク構成情報を最新の状態に管理することができる。
【００５２】
上述した機能を利用することにより、本実施形態に係るネットワーク管理システム及びネットワーク管理方法によると、故障情報などを高速に検索することができる。例えば、複数の設備に関連した故障情報を受信した場合、故障通知されている箇所の中で、どこが真の故障箇所であり、どこが真の故障に影響され発生した故障箇所であるかを容易に特定することができる。そして、真の故障箇所に対応する措置を迅速に実施することができる。
【００５３】
（その他の実施形態）
本発明は上記の実施形態によって記載したが、この開示の一部をなす論述及び図面はこの発明を限定するものであると理解すべきではない。この開示から当業者には様々な代替実施形態、実施例及び運用技術が明らかとなろう。
【００５４】
又、構成情報管理部２０、ネットワーク構成情報管理部２６をモジュールとして一つのＣＰＵに備えてもよいと説明したが、それぞれ異なるＣＰＵに備えられ、異なる装置としてもよい。その場合、複数の装置間をバスなどで接続するものとする。
【００５５】
又、図１では、構成情報保持部２５，ネットワーク構成情報保持部２９、リンケージ情報保持部３０を分けて図示したが、これらは一つの保持部を共用しても構わない。
【００５６】
又、本実施形態では、移動通信網を監視・制御するシステムを例に取り説明したが、複数の設備を一元的に管理するシステムであれば、移動通信網に限るわけではない。
【００５７】
このように、本発明はここでは記載していない様々な実施形態等を含むことは勿論である。従って、本発明の技術的範囲は上記の説明から妥当な特許請求の範囲に係る発明特定事項によってのみ定められるものである。
【図面の簡単な説明】
【００５８】
【図１】本発明の実施の形態に係るネットワーク管理システムの構成ブロック図である。
【図２】設備種別毎の構成情報（カテゴリ構成情報）の一例である。
【図３】リンケージ情報の一例である。
【図４】ネットワーク構成情報の一例である。
【図５】本発明の実施の形態に係るネットワーク管理方法を示すフローチャートである（その１）。
【図６】本発明の実施の形態に係るネットワーク管理方法を示すフローチャートである（その２）。
【図７】設備種別毎の構成情報からネットワーク構成情報を作成する手順を説明する図である。
【符号の説明】
【００５９】
１…構成情報管理システム
１０…構成情報管理部
１１…全情報送受信部
１２…インタフェース部
１３…差分情報送受信部
１４…情報作成変更部
１５…構成情報保持部
２…ネットワーク管理システム
２０…構成情報管理部
２１…全情報送受信部
２２…インタフェース部
２３…差分情報送受信部
２４…情報作成変更部
２５…構成情報保持部
２６…ネットワーク構成情報管理部
２７…ネットワーク情報作成変更部
２８…情報リンケージ部
２９…ネットワーク構成情報保持部
３０…リンケージ情報保持部
【図１】
2005341159.tif 000003
【図２】
2005341159.tif 000004
【図３】
2005341159.tif 000005
【図４】
2005341159.tif 000006
【図５】
2005341159.tif 000007
【図６】
2005341159.tif 000008
【図７】
2005341159.tif 000009